【手続補正書】
【提出日】平成24年3月21日(2012.3.21)
【手続補正１】
【補正対象書類名】特許請求の範囲
【補正対象項目名】全文
【補正方法】変更
【補正の内容】
【特許請求の範囲】
【請求項１】
撮影された画像と対応した撮影位置を記憶部から読み出す読み出し手段と、
上記画像に対応した上記撮影位置を地図上に表すための所定の撮影場所マークを生成する撮影場所マーク生成手段と、
複数の上記画像を読み出して緯度順に並べて表示すると共に、複数の上記画像と対応した複数の上記撮影場所マークを地図上に表示する緯度順表示モードと、複数の上記画像を読み出して経度順に並べて表示すると共に、複数の上記画像と対応した複数の上記撮影場所マークを地図上に表示する経度順表示モードとを切り換える制御手段と
を具える情報処理装置。
【請求項２】
上記制御手段は、上記緯度順に表示する場合、複数の上記画像を縦に並べて表示し、上記経度順に表示する場合、複数の上記画像を横に並べて表示する
請求項１に記載の情報処理装置。
【請求項３】
上記制御手段は、複数の上記画像と、複数の上記画像と対応した複数の上記撮影場所マークとを線分で結び付けて表示する
請求項２に記載の情報処理装置。
【請求項４】
上記制御手段は、複数の上記画像を読み出して緯度順に並べて表示する際、現在位置に最も近い上記撮影位置を始点として上記緯度順に並べて表示し、複数の上記画像を読み出して経度順に並べて表示する際、上記現在位置に最も近い上記撮影位置を始点として上記経度順に並べて表示する
請求項３に記載の情報処理装置。
【請求項５】
撮影された画像と対応した撮影位置を所定の読み出し手段により記憶部から読み出す読み出しステップと、
上記画像に対応した上記撮影位置を地図上に表すための所定の撮影場所マークを所定の撮影場所マーク生成手段により生成する撮影場所マーク生成ステップと、
所定の制御手段により、複数の上記画像を読み出して緯度順に並べて表示すると共に、複数の上記画像と対応した複数の上記撮影場所マークを地図上に表示する緯度順表示モードと、複数の上記画像を読み出して経度順に並べて表示すると共に、複数の上記画像と対応した複数の上記撮影場所マークを地図上に表示する経度順表示モードとを切り換える制御ステップと
を有する情報処理方法。
【請求項６】
コンピュータに対し、
撮影された画像と対応した撮影位置を所定の読み出し手段により記憶部から読み出す読み出しステップと、
上記画像に対応した上記撮影位置を地図上に表すための所定の撮影場所マークを所定の撮影場所マーク生成手段により生成する撮影場所マーク生成ステップと、
所定の制御手段により、複数の上記画像を読み出して緯度順に並べて表示すると共に、複数の上記画像と対応した複数の上記撮影場所マークを地図上に表示する緯度順表示モードと、複数の上記画像を読み出して経度順に並べて表示すると共に、複数の上記画像と対応した複数の上記撮影場所マークを地図上に表示する経度順表示モードとを切り換える制御ステップと
を実行させるプログラム。
【手続補正２】
【補正対象書類名】明細書
【補正対象項目名】０００８
【補正方法】変更
【補正の内容】
【０００８】
かかる課題を解決するため本発明では、撮影された画像と対応した撮影位置を記憶部から読み出し、画像に対応した撮影位置を地図上に表すための所定の撮影場所マークを生成し、複数の画像を読み出して緯度順に並べて表示すると共に、複数の画像と対応した複数の撮影場所マークを地図上に表示する緯度順表示モードと、複数の画像を読み出して経度順に並べて表示すると共に、複数の画像と対応した複数の撮影場所マークを地図上に表示する経度順表示モードとを切り換えるようにする。
【手続補正３】
【補正対象書類名】明細書
【補正対象項目名】００１１
【補正方法】変更
【補正の内容】
【００１１】
【図１】デジタルビデオカメラの回路構成を示す略線的ブロック図である。
【図２】フォルダ構成及び画像管理データファイル構造を示す略線図である。
【図３】緯度・経度順インデックス表示処理手順を示すフローチャートである。
【図４】画像ソートテーブル生成処理手順のサブルーチンを示すフローチャートである。
【図５】画像ソートテーブルを示す略線図である。
【図６】地図画像描画処理手順のサブルーチンを示すフローチャートである。
【図７】緯度順のマップビュー画面を生成するためのテンプレートを示す略線図である。
【図８】経度順のマップビュー画面を生成するためのテンプレートを示す略線図である。
【図９】地図画像だけが描画された途中段階における緯度順のマップビュー画面を示す略線図である。
【図１０】地図画像だけが描画された途中段階における経度順のマップビュー画面を示す略線図である。
【図１１】縮小画像のインデックス表示処理手順のサブルーチンを示すフローチャートである。
【図１２】地図画像及び縮小画像が描画された途中段階における緯度順のマップビュー画面を示す略線図である。
【図１３】地図画像及び縮小画像が描画された途中段階における経度順のマップビュー画面を示す略線図である。
【図１４】撮影場所マーク描画処理手順のサブルーチンを示すフローチャートである。
【図１５】地図画像、縮小画像及び撮影場所マークが描画された最終的な緯度順のマップビュー画面を示す略線図である。
【図１６】地図画像、縮小画像及び撮影場所マークが描画された最終的な経度順のマップビュー画面を示す略線図である。
【図１７】選択画像を変更したときの経度順のマップビュー画面を示す略線図である。
【図１８】スクロールバーにより選択画像を変更したときの経度順のマップビュー画面を示す略線図である。
【図１９】撮影日時順のマップビュー画面を示す略線図である。
【図２０】撮影日時順表示モードにおけるサムネイル画面を示す略線図である。
【図２１】他の実施の形態における同じ撮影場所に２つの画像が存在する場合のマップビュー画面を示す略線図である。
【図２２】他の実施の形態における同じ撮影場所に２つ以上の画像が存在する場合のマップビュー画面を示す略線図である。
【図２３】他の実施の形態における同じ撮影場所に複数の画像が存在する場合のマップビュー画面を示す略線図である。
【手続補正４】
【補正対象書類名】明細書
【補正対象項目名】００５５
【補正方法】変更
【補正の内容】
【００５５】
ステップＳＰ３２においてデジタルビデオカメラ１のＣＰＵ１０は、図７に示すようなインデックス表示が緯度順のマップビュー画面に対応したテンプレートＴＰ１、又は図８に示すようなインデックス表示が経度順のマップビュー画面に対応したテンプレートＴＰ２を用い、その地図画像表示領域ＭＡＲ１又はＭＡＲ２に対して、地図関連データファイルＭＤＦの地図関連データに基づき地図画像を描画する。
【手続補正５】
【補正対象書類名】明細書
【補正対象項目名】００７３
【補正方法】変更
【補正の内容】
【００７３】
これに対してステップＳＰ４１で否定結果が得られると、このことはマップビュー画面ＭＶ１ａの経度ボタンＢＴ３又はマップビュー画面ＭＶ２ａの経度ボタンＢＴ６が選択されており、縮小画像のインデックス表示の順番として経度順が設定されていることを表しており、このときＣＰＵ１０は次のステップＳＰ４５へ移る。
【手続補正６】
【補正対象書類名】明細書
【補正対象項目名】０１１８
【補正方法】変更
【補正の内容】
【０１１８】
この結果、マップビュー画面ＭＶ２では、縮小画像貼付領域ＭＧＡ２の縮小画像ＭＧ４が選択されたことに伴い、地図画像ＭＰの表示範囲がシフトされ、撮影場所マークＲＰ５、ＲＰ６、ＷＰ８が撮影場所マークＷＰ１１、ＷＰ１２、ＲＰ９に変更されると共に、撮影場所マークＲＰ１０が新たに表示されることになる。
【手続補正７】
【補正対象書類名】明細書
【補正対象項目名】０１３１
【補正方法】変更
【補正の内容】
【０１３１】
これによりデジタルビデオカメラ１のＣＰＵ１０は、地図画像ＭＰ上における赤色の撮影場所マークＲＰ１〜ＲＰ４を白色の撮影場所マークＷＰ１〜ＷＰ４よりも際立たせることができるので、インデックス表示した縮小画像ＭＧ１〜ＭＧ４が地図上の何処にあるかをユーザに対して容易に認識させることができる。
【手続補正８】
【補正対象書類名】明細書
【補正対象項目名】０１４９
【補正方法】変更
【補正の内容】
【０１４９】
さらに上述の実施の形態においては、例えば１つの縮小画像ＭＧ１と１つの撮影場所マークＲＰ５とを線分により結び付けるようにした場合について述べた。
【手続補正９】
【補正対象書類名】明細書
【補正対象項目名】０１５０
【補正方法】変更
【補正の内容】
【０１５０】
しかしながら本発明はこれに限らず、例えば１つの撮影場所に対して２つの静止画データファイルＩＤＦが存在する場合、図１６との対応部分に同一符号を付した図２１に示すマップビュー画面ＭＶ５のように、縮小画像ＭＧ１及びＭＧ１Ａと撮影場所マークＲＰ５とを線分により結び付けるようにしても良い。
【手続補正１０】
【補正対象書類名】明細書
【補正対象項目名】０１５１
【補正方法】変更
【補正の内容】
【０１５１】
さらに上述の実施の形態においては、例えば１つの縮小画像ＭＧ１と１つの撮影場所マークＲＰ５とを線分により結び付けるようにした場合について述べた。
【手続補正１１】
【補正対象書類名】明細書
【補正対象項目名】０１５４
【補正方法】変更
【補正の内容】
【０１５４】
さらに上述の実施の形態においては、例えば１つの縮小画像ＭＧ１と１つの撮影場所マークＲＰ５とを線分により結び付けるようにした場合について述べた。
【手続補正１２】
【補正対象書類名】明細書
【補正対象項目名】０１５５
【補正方法】変更
【補正の内容】
【０１５５】
しかしながら本発明はこれに限らず、例えば１つの撮影場所に対して複数の静止画データファイルＩＤＦが存在する場合、図１６との対応部分に同一符号を付した図２３に示すマップビュー画面ＭＶ７のように、複数枚が重ねあわされた表示形態の縮小画像ＭＧ１Ａ〜ＭＧ１Ｄと撮影場所マークＲＰ５とを線分により結び付けるようにしても良い。
【手続補正１３】
【補正対象書類名】図面
【補正対象項目名】図６
【補正方法】変更
【補正の内容】
【図６】
2010243907.tif 000001
【手続補正１４】
【補正対象書類名】図面
【補正対象項目名】図１４
【補正方法】変更
【補正の内容】
【図１４】
2010243907.tif 000002
【手続補正１５】
【補正対象書類名】図面
【補正対象項目名】図１８
【補正方法】変更
【補正の内容】
【図１８】
2010243907.tif 000003
【手続補正１６】
【補正対象書類名】図面
【補正対象項目名】図２１
【補正方法】変更
【補正の内容】
【図２１】
2010243907.tif 000004
【手続補正１７】
【補正対象書類名】図面
【補正対象項目名】図２２
【補正方法】変更
【補正の内容】
【図２２】
2010243907.tif 000005
【手続補正１８】
【補正対象書類名】図面
【補正対象項目名】図２３
【補正方法】変更
【補正の内容】
【図２３】
2010243907.tif 000006